(57)【要約】      （修正有）【課題】パッティング練習用マットにおいて、マットの傾斜をより少なくするとともに、カップ内にボールが溜まらないようにできるカップを提供する。【解決手段】パッティング練習用マットに用いられるカップとして、深さをゴルフボールの２分の１以下に形成し、底面から上縁に向かって、ゴルフボールが底面と上縁とに同時に接触できない、垂直断面が下に凸な曲線または線分となる傾斜１０を、全周に渡って形成することで、カップに入ったゴルフボールを速やかに排出するように構成する。【選択図】図１
0003183683.tif 000002
【実用新案登録請求の範囲】
【請求項１】
深さがゴルフボールの２分の１以下に形成されるカップであって、
底面から上縁に向かって、ゴルフボールが底面と上縁とに同時に接触できない、垂直断面が下に凸な曲線または線分となる傾斜が、全周に渡って形成された
パッティング練習用カップ。
【請求項２】
請求項１に記載のパッティング練習用カップと、
前記パッティング練習用カップを収める穴が形成されるとともに、少なくとも当該穴の上縁と前記パッティング練習用カップの上縁とがほぼ一致するように前記パッティング練習用カップを前記穴に保持するマットと
を有するパッティング練習用マット。
【考案の詳細な説明】
【技術分野】
【０００１】
本考案はパッティング練習用マットに装着されるカップ及び当該カップを装着したパッティング練習用マットに関する。
【背景技術】
【０００２】
室内でパッティングの練習をする器具としてパッティング練習用マットが広く用いられている。パッティング練習用マットは、実際のゴルフのホールとほぼ同じ大きさの直径を有する円筒状のカップをマットに設けた穴の下方に設置したものである。
ところで、このようなパッティング練習用マットは、カップ内にボールが溜まるとこれを取り出さなければ練習を続けることができない。これに対して、カップにボールが溜まることを防ぐために、カップ内に入ったゴルフボールを排出するカップ内からマット外に通じるトンネルを形成したものがあり、このような構造を有するパッティング練習用マットであれば多くの球で連続してパッティングの練習をすることができる。
【考案の概要】
【考案が解決しようとする課題】
【０００３】
ところで、このようなパッティング練習用マットは、カップを配置するために高さが必要になるので、練習用マットの上面は穴に向かって上方へ傾斜するように形成されている。特に、内部にトンネルを設けるものはボールを排出するためにトンネルに傾斜を設ける必要があるのでより高さを要することが多い。
しかし、実際のグリーンではホールは上り坂の上に常にあるわけではないので、パッティング練習用マットでの練習は実際のパッティングを適切に再現できないという問題がある。ゴルフボールの排出トンネルを設けないパッティング練習用マットであれば、カップの高さをある程度低くすることが可能であるが、この場合は、ボールが排出されないので多くの球で連続してパッティング練習をすることができないという問題が生じる。
本考案は、このような問題に鑑みて、パッティング練習用マットにおいて、マットの傾斜をより少なくするとともに、カップ内にボールが溜まらないようにできるカップを提供することを課題とする。
【課題を解決するための手段】
【０００４】
上記課題を解決するために、本考案は次のような構成を有する。
請求項１に記載の考案は、深さがゴルフボールの２分の１以下に形成されるカップであって、底面から上縁に向かって、ゴルフボールが底面と上縁とに同時に接触できない、垂直断面が下に凸な曲線または線分となる傾斜が、全周に渡って形成されたパッティング練習用カップである。
請求項２に記載の考案は、請求項１に記載のパッティング練習用カップと、前記パッティング練習用カップを収める穴が形成されるとともに、少なくとも当該穴の上縁と前記パッティング練習用カップの上縁とがほぼ一致するように前記パッティング練習用カップを当該穴に保持するマットとを有するパッティング練習用マットである。なお、マットが人工芝などの起毛体を有するマットの場合の上縁は穴の外周の起毛体の根元から上端まで範囲を意味するものとする。
【考案の効果】
【０００５】
請求項１に記載の考案は、カップの外周にゴルフボールの曲面に比較して緩やかな傾斜面が形成されるので、速度が速くない打球がカップに入った場合は、前縁から滑らかに傾斜を転がって加速されカップ底面に達し、そのまま加速された運動エネルギーによって後縁の傾斜を登り、外に排出される。この場合は、カップに入る前のゴルフボールの位置エネルギーのほとんどがカップ底面における速度エネルギーに変換されるので、ゴルフボールがカップに入る際にわずかに速度があればゴルフボールは後縁を登って外に排出できることになる。一方、速度の速い打球がカップに入った場合は前縁の傾斜を飛び越えてカップ底面に衝突する結果、位置エネルギーはある程度衝突による熱エネルギーとなり失われるが、カップの深さがボルフボールの２分の１以下と浅いので、失われる熱エネルギー量は少ない一方で、もともとのゴルフボールの直進方向の速度成分は大きいのでやはりゴルフボールは底面から後縁の傾斜を登って外へと排出されることになる。このように、本考案に係るパッティング練習用カップは高さがゴルフボールの２分の１以下と低いのでパッティング練習用マットに設置してもマットがあまり高くなることがなく、また、カップに入るゴルフボールはほとんど排出されるので多くの球で連続してパッティングの練習をすることができる。
請求項２に記載の考案は、請求項１に記載のパッティング練習用カップを用いることで、マットのカップ周辺の高さを低くできる結果、実際のグリーンに近いパッティング練習ができるとともに、カップに入ったボールが排出されるので連続してパッティング練習を行うことができる。
【図面の簡単な説明】
【０００６】
【図１】（ａ）は実施形態に係るパッティング練習用カップの平面図であり、（ｂ）は実施形態に係るパッティング練習用カップの縦断面図である。
【図２】実施形態に係るパッティング練習用マットの斜視図である。
【考案を実施するための形態】
【０００７】
以下、本考案の実施の形態について、図面を参照しながら説明する。
図１（ａ）に本実施形態に係るパッティング練習用カップＸの平面図を示し、図１（ｂ）にパッティング練習用カップＸの縦断面図を示す。パッティング練習用カップＸは、上縁がゴルフのホールとほぼ同じ大きさの円形に形成される浅いカップである。ここではカップの深さはゴルフボールの約４分の１に設定されている。図１（ｂ）に示すようにパッティング練習用カップＸの底面から上縁にかけて緩やかな傾斜１０が全周に渡って形成されている。この傾斜１０は図１（ｂ）に示すようにゴルフボールＢの曲面に対して緩やかに形成される結果、ゴルフボールＢは底面と上縁とに同時に接触することなく傾斜１０を滑らかに転がることができる。このパッティング練習用カップＸは適当なマットと組み合わせることでパッティング練習用マットを形成することができる。
【０００８】
図２にパッティング練習用カップＸを用いたパッティング練習用マットＹの斜視図を示す。パッティング練習用マットＹは、パッティング練習用カップＸ、マット２０、枠３０とから構成される。
マット２０は、人工芝やフエルトなどパッティング練習用マットに広く用いられる素材により帯状に形成されたマットである。マット２０の一端側にはパッティング練習用カップＸが嵌る穴が形成され、この穴にパッティング練習用カップＸが、穴とカップの上縁同士の高さが一致するように固定されている。なお、この穴の部分近傍はパッティング練習用カップＸが収まるようにマット部分がやや高くなっている。また、パッティング練習用カップＸは一端側の縁部近傍に設けられるのではなく、縁部から距離を置いた位置に設けられる。枠３０はゴルフボールがマット３０外に転がり出ることを防ぐ枠であり、パッティング練習用カップＸを取り囲む、マット２０の３方向の縁部に設けられる細長い板体から形成される。
【０００９】
次に、以上のような構成を有するパッティング練習用カップＸを用いたパッティング練習用マットＹの使用方法及び作用効果について説明する。使用方法は、一般的なパッティング練習用マットと同じであり、マット２０の他端側にゴルフボールを置いて、パッティング練習用カップＸに向かってパッティングを行う。パッティングによりパッティング練習用カップＸに正面から到達したゴルフボールは、パッティング練習用カップＸに入って外周の傾斜１０からカップ底面を転がり、その勢いでカップ後方の傾斜を登って後ろへ転がり出る。また、パッティング練習用カップＸに左右いずれかに寄った位置から入ったゴルフボールはカップの傾斜によって斜めに進路を変えてパッティング練習用カップＸの斜め後方に転がり出る。これらの転がり出たゴルフボールは、勢いのないものはパッティング練習用カップＸの後ろ側にあるマット２０上で止まり、勢いのあるものは枠３０に当たって止まる。さらに、パッティング練習用カップＸに入らなかったゴルフボールもやはり、パッティング練習用カップＸまでの距離に届かないもの以外はパッティング練習用カップＸの後ろ側にあるマット２０上に集まる。このようにパッティング練習用カップＸを用いたパッティング練習用マットＹでは、カップ内にゴルフボールが溜まらないので連続してパッティング練習を行うことができ、さらに、パッティング練習用マットＹにおいて、パッティング練習用カップＸの後方にスペースを取り、枠３０で囲むことでゴルフボールが当該スペースに留まるので、パッティング後にゴルフボールを集める手間を低減することができる。
【００１０】
なお、上記実施形態ではパッティング練習用カップＸの傾斜を縦断面形状において下に凸な曲線になるようにしているが、真っ直ぐな傾斜にしてもよい。
【符号の説明】
【００１１】
Ｘ  パッティング練習用カップ
Ｙ  パッティング練習用マット
１０  傾斜
２０  マット
３０  枠
【図１】
0003183683.tif 000003
【図２】
0003183683.tif 000004